(57)【特許請求の範囲】
【請求項１】
枠板１・仕切板２・背板３を設け、枠板１に於いて、適度に腰のある透明樹脂を素材に用い、中央へ正面壁４を設け、正面壁４はジグザグの九十九折り形状であり、九十九折りの上縁各箇所を切り込んで斜切込５と称して複数設け、九十九折りの下縁各箇所を山折りして斜山折り線６と称して複数設け、九十九折りの最上縁だけは切り込まずに山折りにして斜山折り線６とし、斜山折り線６を介して斜側壁７を設け、斜側壁７の外下縁の中央領域を斜下外方向へ突出して枠板接着片８を設け、斜側壁７を折り立てる事によって斜切込５の箇所が持ち上がって開口し、この開口箇所を商品を収納する為の収納口９として設け、仕切板２に於いて、適度に腰のある透明樹脂を素材に用い、横幅を斜側壁７と同寸にし、長さ方向で斜切込５と同寸間隔で蛇腹折りして正面壁４の中央の裏側へ直角に立てた状態で取り付け、蛇腹折りによって区切られて組み立て時に背板３と接する縁の中央を突出して仕切板接着片１０を設け、仕切板接着片１０は蛇腹折りで区切られた各縁へ設けても良いが接着の手間がかかる事から適当に飛ばした間隔を有して設け、背板３に於いて、腰のある厚紙を素材に用い、全体は縦長矩形を成して角は丸くし、枠板１を組み立てた状態で枠板接着片８の夫々を差し込める状態で枠板接着片差込溝１１を複数設け、仕切板２を蛇腹折りして取り付けた状態で仕切板接着片１０の夫々を差し込める状態で仕切板接着片差込溝１２を複数設け、背板３の上端部領域へ二つの吊り下げ孔１３を開け、吊り下げ孔１３へ紐１４を通す事によって本発明物を吊り下げる事ができる様にした、吊り下げ陳列板。
【発明の詳細な説明】
【０００１】
【発明の属する技術分野】
本発明は、商品を収納して陳列販売するための吊り下げ陳列板に関する。
【０００２】
【従来の技術】
従来の陳列板は、商品を直接吊り下げる為の複数の竿を正面方向へ突き出した物、商品を乗せる為の水平棚を縦方向へ複数並べた物であった。
【０００３】
【発明が解決しようとする課題】
竿に吊り下げる場合は商品自体に吊り下げる為のフック箇所を設ける必要があり、水平棚の場合は下の位置にある商品の取り出しが困難であり、積み重ねのできる商品である必要があった。
【０００４】
【課題を解決するための手段】
九十九折り形状の正面壁の側下縁へ斜山折り線を介して斜側壁を設け、側上縁は切り離されて斜切込として設け、斜側壁を折り立てて背板へ差し込んで固定する事によって斜切込と両側に隣接する斜側壁によって収納口を形成し、正面壁の中央の裏側へ直角に接する仕切板を蛇腹折りして仕切る事によって、収納口から挿入された商品の底の部分を仕切板が支えるので、商品を左右から斜め方向へ収納して陳列販売する事が可能となる。
【０００５】
【発明の実施の形態】
発明の実施の形態について図面を参照して説明すると、本発明物を組み立てた状態で正面方向から示した部分透視斜視図の図１に於いて、枠板１の中央に有する正面板４をジグザグの九十九折り形状で設け、九十九折り形状の側下に位置する各縁へ斜山折り線６を介して斜側壁７を設け、斜側壁７の外下縁中央を矩形に突出させて枠板接着片１０として設け、九十九折り形状の側上に位置する各縁を切り離す切込を入れて斜切込５を設け、九十九折り形状の側上縁の内最上部の縁だけは切り離さずに山折り線を介して斜側壁７を設け、この時の山折り線も又斜山折り線６と称して設け、斜側壁７を背板３に対して直角に立てる事によって隣接の斜切込５との組み合わせによって櫓状に開口し、この開口箇所は商品を収納する為の収納口９として設け、斜上に位置する収納口９から商品を挿入すれば収納方向の突き当たりに位置する斜側壁７の内側で商品の底部分が受け止められるのであるが、収納商品が短い場合にあっては、正面壁４中央の裏側へ仕切板２を直角の蛇腹折りにして正面壁４の面に対して直角に位置付けて仕切り、この仕切板２に於いて、斜切込５と同寸の間隔で蛇腹形状で直角に折り曲げ、図上では蛇腹折りされた仕切板２の組み立て時の正面縁を破線によって表示としており、蛇腹折りによって区分された各縁の内、適当な間隔を於いて、区分縁の中央を組み立て時の背方へ矩形に突出して仕切板接着片１０を設け、背板３に於いて、枠板１の斜側壁７の側下外縁を突出させた枠板接着片８を差し込む為の枠板接着片差込溝１１を設けて枠板接着片８を差し込んで背板３の背面で接着固定し、仕切板接着片１０を差し込む為の仕切板接着片差込溝１２を設けて仕切板接着片１０を差し込んで背板３の背面で接着固定し、上端領域へ二つの吊り下げ孔１３を設け、紐１４を通して、本発明物を吊り下げる事ができる様にする。
【０００６】
枠板１を展開した状態で示した平面図の図２に於いて、枠板１は適度に腰のある透明樹脂を素材に用い、枠板１の展開された全体形状は模式化されたクリスマスツリー形状であるが左右は上下方向にずれあっており、中央を縦に貫く状態で正面壁４を設け、正面壁４の形状はジグザグの九十九折り状であり、よって両側縁形状は４５度の傾斜が蛇腹状に連続しており、この側傾斜縁の内下に位置する縁を斜山折り線６と称して設け、斜山折り線６を介して斜側壁７を正方形に近い矩形で設け、斜側壁７の側下外縁の中央を矩形に突出して谷折り線を介して枠板接着片８を設け、枠板接着片８の突出基部から背板のシートの厚み分だけ谷折り線を外側へずらせて枠板接着片厚み域１５を設け、九十九折り形状の側傾斜縁の内上に位置する縁を切り離して、この切り離しに用いた切込を斜切込５と称して設け、斜切込５を設けた事によって斜山折り線６を山折りして斜側壁７を直角に折り起こす事ができ、斜側壁７を折り起こす事によって斜切込５の切込箇所が離れて櫓状となって開口し、この開口部は商品を収納する為の収納口９として活用する。
【０００７】
展開した状態の仕切板と背板を表示した平面図の図３に於いて、仕切板２では横幅を図２で示した斜側壁７と同寸で設け、蛇腹折線１６の間隔は斜切込５の長さと同寸で設け、仕切板２の側縁の内一方を組み立て時には背方縁とし、蛇腹折線１６によって複数に区分された背方の区分縁域１７の内両端部と中央部では区分縁域１７を二つ置き程度に間隔を開けてピックアップした区分縁域１７の中央領域を外方へ矩形に突出させて折線を介して仕切板接着片１０を設け、仕切板接着片１０の基部へは仕切板厚み域１８を設ける。背板３に於いて、両側領域へ図２で示した枠板接着片８を差し込む為の枠板接着片差込溝１１を複数設けるのであり、枠板接着片差込溝１１の傾斜角度は４５度を成して側外の上方向から側内の下方向へ向けて切込、左右の横関係では同じ高さではなく交互に同間隔でずらせて設け、背板３の中央領域へ仕切板接着片差込溝１２を間隔を開けて縦に並べて設け、背板３の上端領域へ吊り下げ孔１３を両側へ二箇所設ける。
【０００８】
【発明の効果】
枠板と仕切板は透明樹脂を素材に用いている事によって収納された商品を外から見易くする事ができ、斜側壁を折り立てる事によって斜切込が開き、斜切込の開きによって収納口と成り、商品を斜め方向に収納して陳列でき、吊り下げる為のフックは必要ではなく、斜めに収納する事によって下に位置する商品も楽に取り出す事ができ、商品を積み重ねなくても陳列する事ができる。
【図面の簡単な説明】
【図１】本発明物を組み立てた状態で正面方向から示した部分透視斜視図。
【図２】枠板１を展開した状態で示した平面図。
【図３】展開した状態の仕切板と背板を表示した平面図。
【符号の説明】
１  枠板
２  仕切板
３  背板
４  正面壁
５  斜切込
６  斜山折り線
７  斜側壁
８  枠板接着片
９  収納口
10  仕切板接着片
11  枠板接着片差込溝
12  仕切板接着片差込溝
【図１】
0003662313.tif 000002
【図２】
0003662313.tif 000003
【図３】
0003662313.tif 000004